(57)【要約】【課題】  多条植形態の苗植機は、作業中で肥料の補給作業の重労力、長時間を要し、苗植作業能率を低下し易い。特に、苗植機を畦際等に停止位置させて、農道上等から肥料補給を行い易くするものである。【解決手段】  施肥装置１３を装着する苗植機において、施肥ホッパ１０の上部に、この施肥ホッパ１０に供給する肥料袋１４を載せて搬送する搬送ガイド１５を、横外方へ移動可能に設け、この施肥ホッパ１０の前後上縁部に沿って搬送ガイド１５を摺動自在に支持装着して、この搬送ガイド１５の外側端部に前記肥料袋（１４を受ける袋載台１６を設ける構成とする。【選択図】  図３
2012244975.tif 000002
【特許請求の範囲】
【請求項１】
操向ハンドル（１）、及び運転席（２）を配置した乗用走行形態の車体（３）の後部に、土壌面を滑走均平するフロート（４）と、マット苗を乗せて左右往復移動しながら後下部の苗取口（５）へ繰出す苗タンク（６）と、この苗取口（５）の繰出苗を分離保持して前記フロート（４）による均平跡の土壌面に挿植する植付装置（７）等からなる多条植形態の苗植装置（８）をリフトリンク（９）を介して昇降可能にして連結すると共に、前記運転席（２）後側の車体（３）上部には、前記苗タンク（６）の横幅方向にわたって幅広く形成した施肥ホッパ（１０）と、この施肥ホッパ（１０）から肥料を繰出す繰出装置（１１）と、この繰出された肥料を搬送案内して各対応するフロート（４）による均平土壌面へ施用する施肥ホース（１２）等からなる施肥装置（１３）を装着する苗植機において、前記施肥ホッパ（１０）の上部に、この施肥ホッパ（１０）に供給する肥料袋（１４）を載せて搬送する搬送ガイド（１５）を、横外方へ移動可能に設けたことを特徴とする肥料供給装置。
【請求項２】
前記施肥ホッパ（１０）の前後上縁部に沿って搬送ガイド（１５）を摺動自在に支持装着して、この搬送ガイド（１５）の外側端部に前記肥料袋（１４）を受ける袋載台（１６）を設けたことを特徴とする請求項１に記載の苗植機の肥料供給装置。
【請求項３】
前記搬送ガイド（１５）は、施肥ホッパ（１０）上から横外方へ移動可能で上面に肥料袋（１４）を載せて搬送する袋載台（１６）を支持して搬送することを特徴とする請求項１、又は２に記載の苗植機の肥料供給装置。
【請求項４】
前記搬送ガイド（１５）は施肥ホッパ（１０）の横端部にヒンジ（１７）を有して、外側へ張出す搬送供給位置（Ａ）と、この施肥ホッパ（１０）上へ収納する収納位置（Ｂ）とに折畳可能に設けたことを特徴とする請求項１、２、又は３に記載の苗植機の肥料供給装置。
【請求項５】
前記操向ハンドル（１）、及び運転席（２）を配置した乗用走行形態の車体（３）の後部に、土壌面を滑走均平するフロート（４）と、マット苗を乗せて左右往復移動しながら後下部の苗取口（５）へ繰出す苗タンク（６）と、この苗取口（５）の繰出苗を分離保持して前記フロート（４）による均平跡の土壌面に挿植する植付装置（７）等からなる多条植形態の苗植装置（８）をリフトリンク（９）を介して昇降可能にして連結すると共に、前記運転席（２）後側の車体（３）上部には、前記苗タンク（６）の横幅方向にわたって幅広く形成した施肥ホッパ（１０）と、この施肥ホッパ（１０）から肥料を繰出す繰出装置（１１）と、この繰出された肥料を搬送案内して各対応するフロート（４）による均平土壌面へ施用する施肥ホース（１２）等からなる施肥装置（１３）を装着する苗植機において、施肥ホッパ（１０）上に排出口（１８）をのぞませて、この排出口（１８）の周りに旋回して供給口（１９）を前記施肥ホッパ（１０）の横外方位置へ移動可能の搬送筒（２０）を設けたことを特徴とする肥料供給装置。
【発明の詳細な説明】
【技術分野】
【０００１】
この発明は、施肥装置を有した苗植機において、施肥ホッパに対する肥料供給を行い易くする肥料供給装置に関する。
【背景技術】
【０００２】
乗用走行形態の車体の後部に多条植形態の苗植装置をリフトリンクによって装着すると共に、この苗植装置による苗植付部土壌面に施肥する施肥装置を装着する技術（例えば、特許文献１参照）が知られている。
【先行技術文献】
【特許文献】
【０００３】
【特許文献１】特開２０１０ー５１２１３号公報
【発明の概要】
【発明が解決しようとする課題】
【０００４】
多条植形態の苗植機は、施肥を行う場合は、施肥量も多くなり、施肥ホッパの容量が大きくなる。作業中で肥料の補給作業の重労力、長時間を要し、苗植作業能率を低下し易い。特に、苗植機を畦際等に停止位置させて、農道上等から肥料補給を行い易くするものである。
【課題を解決するための手段】
【０００５】
請求項１に記載の発明は、操向ハンドル１、及び運転席２を配置した乗用走行形態の車体３の後部に、土壌面を滑走均平するフロート４と、マット苗を乗せて左右往復移動しながら後下部の苗取口５へ繰出す苗タンク６と、この苗取口５の繰出苗を分離保持して前記フロート４による均平跡の土壌面に挿植する植付装置７等からなる多条植形態の苗植装置８をリフトリンク９を介して昇降可能にして連結すると共に、前記運転席２後側の車体３上部には、前記苗タンク６の横幅方向にわたって幅広く形成した施肥ホッパ１０と、この施肥ホッパ１０から肥料を繰出す繰出装置１１と、この繰出された肥料を搬送案内して各対応するフロート４による均平土壌面へ施用する施肥ホース１２等からなる施肥装置１３を装着する苗植機において、前記施肥ホッパ１０の上部に、この施肥ホッパ１０に供給する肥料袋１４を載せて搬送する搬送ガイド１５を、横外方へ移動可能に設ける肥料供給装置の構成とする。
【０００６】
苗植作業は、車体３の走行によって、苗植装置８が前進されて、フロート４によって均平される土壌面に苗植付装置７による苗植付が行われ、これと同時に施肥ホッパ１０の肥料が繰出装置１１によって繰出されて、各施肥ホース１２から前記フロート４による均平跡の苗植付部近くに施肥する。このような苗植作業時は、搬送ガイド１５を施肥ホッパ１０の直上部の収納位置Ｂに収納位置させておくが、この施肥ホッパ１０の肥料が減少して、肥料補給するときは、前記搬送ガイド１５を外方へ移動させて、袋載台１６を車体３の一側へ移動させて搬送供給位置Ａとする。この搬送供給位置Ａの袋載台１６上面に肥料袋１４を載せて、搬送ガイド１５で支持した状態で施肥ホッパ１０上へ移動させる。このようにして肥料袋１４を支持した搬送ガイド１５の移動によって、肥料袋１４を施肥ホッパ１０上の収納位置Ｂへ位置させて、袋口を開口し、この肥料袋１４の肥料を施肥ホッパ１０内へ供給する。
【０００７】
請求項２に記載の発明は、前記施肥ホッパ１０の前後上縁部に沿って搬送ガイド１５を摺動自在に支持装着して、この搬送ガイド１５の外側端部に前記肥料袋１４を受ける袋載台１６を設ける。
【０００８】
前記のように搬送ガイド１５は、施肥ホッパ１０の上側部に沿って、肥料袋１４を載せた状態で、横方向へ移動するＡ、Ｂ。このとき前後一対の搬送ガイド１５は、施肥ホッパ１０の前後上端縁部上に支持案内されて移動されて、この搬送ガイド１５の先端部の袋受台１６上に受けた肥料袋１４を、施肥ホッパ１０側へ移送させてＢ、この施肥ホッパ１０上に位置させる。この袋受台１６上の肥料袋１４の袋口を開けて下側の施肥ホッパ１０内へ肥料を移し込む。又、肥料袋１４を搬送しないときは、袋受台１６を有した搬送ガイド１５を外側方へ引き出した状態Ａから、そのまま収納位置Ｂへ移動させておき、又、この状態で苗植、施肥作業を行うことができる。
【０００９】
請求項３に記載の発明は、前記搬送ガイド１５は、施肥ホッパ１０上から横外方へ移動可能で上面に肥料袋１４を載せて搬送する袋載台（１６）を支持して搬送することができる構成とする。
【００１０】
前記搬送ガイド１５は、施肥ホッパ１０の上側に位置する折畳み収納位置Ｂから横方向へ張出す搬送供給位置Ａへ切替えて、この搬送ガイド１５の上面に沿って肥料袋１４を支持する袋載台１６を搬送させる。この搬送ガイド１５上を移動できる袋載台１６上面に肥料袋１４を載せて、施肥ホッパ１０上面に搬送させて、この肥料袋１４の袋口を開いて肥料を直下の施肥ホッパ１０内へ移し込んで供給する。
【００１１】
請求項４に記載の発明は、前記搬送ガイド１５は施肥ホッパ１０の横端部にヒンジ１７を有して、外側へ張出す搬送供給位置Ａと、この施肥ホッパ１０上へ収納する収納位置Ｂとに折畳可能に設ける。
【００１２】
前記搬送ガイド１５は、この内端部をヒンジ１７周りに内、外側へ回動して、収納位置Ｂとして施肥ホッパ１０の直上部に折畳重合させたり、搬送供給位置Ａへ外側へ回動させて張出すことによって、袋載台１６による肥料袋１４の搬送を行わせる。
【００１３】
請求項５に記載の発明は、前記操向ハンドル１、及び運転席２を配置した乗用走行形態の車体３の後部に、土壌面を滑走均平するフロート４と、マット苗を乗せて左右往復移動しながら後下部の苗取口５へ繰出す苗タンク６と、この苗取口５の繰出苗を分離保持して前記フロート４による均平跡の土壌面に挿植する植付装置７等からなる多条植形態の苗植装置８をリフトリンク９を介して昇降可能にして連結すると共に、前記運転席２後側の車体３上部には、前記苗タンク６の横幅方向にわたって幅広く形成した施肥ホッパ１０と、この施肥ホッパ１０から肥料を繰出す繰出装置１１と、この繰出された肥料を搬送案内して各対応するフロート４による均平土壌面へ施用する施肥ホース１２等からなる施肥装置１３を装着する苗植機において、施肥ホッパ１０上に排出口１８をのぞませて、この排出口１８の周りに旋回して供給口１９を前記施肥ホッパ１０の横外方位置へ移動可能の搬送筒２０を設ける。
【００１４】
前記苗植機の苗植作業中や、格納時等は、搬送筒２０を施肥ホッパ１０の直上部に位置させた状態であるが、畦際等において施肥ホッパ１０に肥料を供給するときは、搬送筒２０を排出口１８の周りに旋回して、施肥ホッパ１０上位置から横外方位置へ移動させて、この供給口１９を肥料の供給し易い位置へ移動させる。この供給口１９から肥料を供給して、搬送筒２０を介して排出口１８から施肥ホッパ１０内へ供給される。この肥料の補給が終ると、搬送筒２０を排出口１８周りに回動させて収納位置Ｂにして、苗植、施肥作業を行うことができる。
【発明の効果】
【００１５】
請求項１に記載の発明は、肥料袋１４を載せて搬送する搬送ガイド１５を施肥ホッパ１０の横端外方へ移動させて、作業者が圃場の外側から肥料袋１４をこの搬送ガイド１５の先端部に載せることによって、この肥料袋１４を圃場の苗植機の施肥ホッパ１０へ搬送させることができ、この施肥ホッパ１０における肥料供給を容易、迅速に行うことができる。肥料供給の労力を軽減し、苗植作業能率を高めることができる。しかも、施肥ホッパ１０の上側部に搬送ガイド１５を横移動可能に設ける形態を簡単に構成することができる。
【００１６】
請求項２に記載の発明は、前記施肥ホッパ１０の前、後端部の上縁部に沿って横方向に摺動するように支持される前後一対の搬送ガイド１５を、安定した支持形態とすることができ、施肥ホッパ１０の上端開口部を広く開口維持して、袋受台１６上の肥料袋１４開口による施肥ホッパ１０内への肥料の移し込み供給を行い易くすることができる。又、搬送ガイド１５は施肥ホッパ１０と一体的構成とするため、構成を簡潔化して、車体３に対する着脱等の取扱を容易にすることができる。
【００１７】
請求項３に記載の発明は、前記肥料袋１４を受ける載台１６を案内する搬送ガイド１５は施肥ホッパ１０の横外側方へわたって移動可能であるから、袋載台１６をこの搬送ガイド１５上面に沿って肥料ホッパ１０上の横内、外側域へ移動して、重い肥料袋１４の搬入を簡単、容易に行わせて、この施肥ホッパ１０への肥料の移し込みを行い易くすることができる。又、前記搬送ガイド１５の一部が施肥ホッパ１０の直上部の構成される形態では、前記袋載台１６をこの施肥ホッパ１０の上側域に幅広く移動させて、肥料の供給位置を選択しながら最適位置に効果的により容易に供給することができる。
【００１８】
請求項４に記載の発明は、前記施肥ホッパ１０に対して肥料補給用の袋載台１６を搬送させる搬送ガイド１５は、この施肥ホッパ１０の横端部にヒンジ１７を有して、内、外側へ折畳できる形態であるから、この肥料袋１４を搬送するときのみ横外方へ張り出して搬送供給位置Ａとして、重い肥料袋１４の搬入処理を簡単、容易化することができ、苗植作業を行ったり、苗植機を格納するとき等のように、この搬送ガイド１５の突出が邪魔になるときは、この搬送ガイド１５をヒンジ１７周りに施肥ホッパ１０側部へ折畳回動して収納位置Ｂとして、苗植作業や、格納等を行い易い形態とすることができる。前記搬送ガイド１５は横長く張出すが、ヒンジ１７によって折畳回動する形態であるから、構成、及び操作を簡単にして、切替操作を容易に行うことができる。
【００１９】
請求項５に記載の発明は、施肥ホッパに横方向へ旋回可能の搬送筒２０を設けて、この搬送筒２０の供給口１９を畦際外側部に位置させて肥料を供給するため、構成が簡潔であり、旋回操作を行い易くし、苗植作業性を向上することができる。
【図面の簡単な説明】
【００２０】
【図１】苗植機の側面図。
【図２】苗植機の平面図。
【図３】一部別例を示す施肥ホッパ部の斜視図。
【図４】一部別例を示す施肥ホッパ部の斜視図。
【図５】一部別例を示す施肥ホッパ部の斜視図。
【図６】施肥装置部の側面図。
【図７】施肥装置の表示部。
【図８】施肥装置の施肥制御部のフロチャート。
【図９】施肥装置の施肥制御部のブロック図。
【図１０】施肥装置の施肥制御部のフロチャート。
【発明を実施するための形態】
【００２１】
図例に基づいて、苗植機は、操向ハンドル１の操作によって操向する左右一対の前輪２１と、運転席２下に搭載のエンジン２２によって駆動回転の左右一対の後輪２３を配置する四輪走行形態の乗用車体３の後側部に、平行リンク形態のリフトリンク９を介してして苗植装置８を装着してものである。この苗植装置８は、苗植フレーム２４の下部に土壌面を滑走して均平にするフレーム４を配置し、上方にはマット苗を収容して後下部へ繰出す苗タンク６を左右横方向へ往復移動するように連動構成し、後方部に苗タンク６から繰出される苗を分離保持して各フロート４で均平される土壌面へ植付ける植付装置７を配置して多条植付形態としている。
【００２２】
前記車体３は、上側にフロア２５、ステアリングポスト２６、エンジンカバー２７等を構成し、この前端部に、正面視Ｔ字形態のグリップハンドル２８を、支持軸２９の周りに前後回動可能に設け、図１では、このグリップハンドル２８の中央部から上方にセンタマーカ３０を一体的に構成している。前記ステアリングポスト２６の一側部には操作レバー３１を設けて、この操作レバー３１を操作して苗植装置８を昇降させたり、苗植付装置７による苗植付伝動を行わせることができる。
【００２３】
前記車体３の後部にリヤフレーム３２を有し、このリヤフレーム３２に対して前記リフトリンク９が上下回動可能に連結され、車体３との間にわたって伸縮されるリフトシリンダ３３が設けられ、上方には前記苗植装置８の苗植付土壌面に施肥する施肥装置１３を搭載している。
【００２４】
ここにおいて、操向ハンドル１、及び運転席２を配置した乗用走行形態の車体３の後部に、土壌面を滑走均平するフロート４と、マット苗を乗せて左右往復移動しながら後下部の苗取口５へ繰出す苗タンク６と、この苗取口５の繰出苗を分離保持して前記フロート４による均平跡の土壌面に挿植する植付装置７等からなる多条植形態の苗植装置８をリフトリンク９を介して昇降可能にして連結すると共に、前記運転席２後側の車体３上部には、前記苗タンク６の横幅方向にわたって幅広く形成した施肥ホッパ１０と、この施肥ホッパ１０から肥料を繰出す繰出装置１１と、この繰出された肥料を搬送案内して各対応するフロート４による均平土壌面へ施用する施肥ホース１２等からなる施肥装置１３を装着する苗植機において、前記施肥ホッパ１０の上部に、この施肥ホッパ１０に供給する肥料袋１４を載せて搬送する搬送ガイド１５を、横外方へ移動可能に設ける肥料供給装置の構成とする。
【００２５】
苗植作業は、車体３の走行によって、苗植装置８が前進されて、フロート４によって均平される土壌面に苗植付装置７による苗植付が行われ、これと同時に施肥ホッパ１０の肥料が繰出装置１１によって繰出されて、各施肥ホース１２から前記フロート４による均平跡の苗植付部近くに施肥する。このような苗植作業時は、搬送ガイド１５を施肥ホッパ１０の直上部の収納位置Ｂに収納位置させておくが、この施肥ホッパ１０の肥料が減少して、肥料補給するときは、前記搬送ガイド１５を外方へ移動させて、袋載台１６を車体３の一側へ移動させて搬送供給位置Ａとする。この搬送供給位置Ａの袋載台１６上面に肥料袋１４を載せて、搬送ガイド１５で支持した状態で施肥ホッパ１０上へ移動させる。このようにして肥料袋１４を支持した搬送ガイド１５の移動によって、肥料袋１４を施肥ホッパ１０上の収納位置Ｂへ位置させて、袋口を開口し、この肥料袋１４の肥料を施肥ホッパ１０内へ供給する。
【００２６】
図１、図２においては、前記施肥ホッパ１０の上周部を覆うように支持フレーム３５を構成し、この支持フレーム３５の上側に前後一対のガイドレール３６を横方向水平に設けて、このガイドレール３６上側に袋受台１６を支持させて、この袋受台１６下面のスライダー３７をこのガイドレール３６に勘合させて左右横方向へ移動自在の形態としている。前記支持フレーム３５のガイドレール３６の左右横端部には、ヒンジ１７によって外側上下の方向に折畳回動可能の前後一対のサイドレール３８を連結して、これらガイドレール３６、及びサイドレール３８等によって搬送ガイド１５を構成し、左右一側端のサイドレール３８を横外側方へ水平状に張出させて、これら一連の搬送ガイド１５の上面に沿って袋受台１６を摺動移動させることができ、サイドレール３８の外側端部から、施肥ホッパ１０上側部のガイドレール３６部上にわたって搬送させることができ、幅広い施肥ホッパ１０の補給位置を選択しながら肥料袋１４を搬送供給して、肥料を補給することができる。前記ガイドレール３６や、サイドレール３８等は、横方向に長く梯子状形態に構成されて、ガイドレール３６は施肥ホッパ１０の上端前縁部、及び後縁部上に沿って平行状に配置されて、施肥ホッパ１０の直上部は肥料袋１４から排出供給される肥料の落下しうる肥料補給間隔４０を形成し、施肥ホッパ１０上を開閉するホッパカバー３９を開閉することができる。
【００２７】
前記車体３の前部にはミッションケース４１や、油圧無段変速装置４２が配置されて、前記エンジン２２から油圧無段変速装置４２がベルト伝動される。この油圧無段変速装置４２を主変速し、ミッションケース４１の変速ギヤを副変速することによって、前輪２１、及び後輪２３の走行速、及び、前記ミッションケース４１からＰＴＯ軸４３を介して伝動される苗植装置８や、施肥装置１３等の伝動速を操作することができる。
【００２８】
前記苗植装置８は、左右幅方向の中央部に位置センタフロート４の上下揺動によって、油圧リフトシリンダ３３の昇降制御弁を作動して、耕盤の深い土壌面では苗植装置８を上昇し、浅い土壌面では下降するように制御して、苗植付装置７による苗植付深さを略一定に維持するように昇降制御する。又、この苗植装置８の前側には、センタロータ４４と、サイドロータ４５とからなる代掻ロータを装着して、各フロート４の前側の土壌面を代掻する。これらの代掻ロータ４４、４５は、後輪２３を伝動するリヤアクスルハウジング４６の連動機構から連動軸４７を介して伝動回転する構成である。
【００２９】
次に、前記施肥ホッパ１０の前後上縁部に沿って搬送ガイド１５を摺動自在に支持装着して、この搬送ガイド１５の外側端部に前記肥料袋１４を受ける袋載台１６を設ける。
前記のように搬送ガイド１５は、施肥ホッパ１０の上側部に沿って、肥料袋１４を載せた状態で横方向へ移動するＡ、Ｂ。このとき前後一対の搬送ガイド１５は、施肥ホッパ１０の前後上端縁部上に支持案内されて移動されて、この搬送ガイド１５の先端部の袋受台１６上に受けた肥料袋１４を、施肥ホッパ１０側へ移送させてＢ、この施肥ホッパ１０上に位置させる。この袋受台１６上の肥料袋１４の袋口を開けて下側の施肥ホッパ１０内へ肥料を移し込む。又、肥料袋１４を搬送しないときは、袋受台１６を有した搬送ガイド１５を外側方へ引き出した状態Ａから、そのまま収納位置Ｂへ移動させておき、又、この状態で苗植、施肥作業を行うことができる。
【００３０】
主として、図３において、前記前後一対の搬送ガイド１５の、スライドレール４８を摺動させるレールボス４９を、前記施肥ホッパ１０の前、後上縁部５０に沿って設け、このレールボス４９にスライドレール４８を挿通させて、施肥ホッパ１０上、及びこの横外側方に摺動自在に設ける。このスライドレール４８の外側端に袋受台１６を取付けて、肥料袋１４を支持することができる。前記スライドレール４８は横方向に長い囲桁形態として、レールボス４９を介して施肥ホッパ１０の上縁部５０に一体的に構成される。又、この施肥ホッパ１０は、これら搬送ガイド１５と一体として、施肥装置１３の繰出装置１１部に対して着脱可能の構成としている。
【００３１】
次に、前記搬送ガイド１５は、施肥ホッパ１０上から横外方へ移動可能で上面に肥料袋１４を載せて搬送する袋載台１６を支持して搬送するように構成する。
前記搬送ガイド１５は、施肥ホッパ１０の上側に位置する折畳み収納位置Ｂから横方向へ張出す搬送供給位置Ａへ切替えて、この搬送ガイド１５の上面に沿って肥料袋１４を支持する袋載台１６を搬送させる。この搬送ガイド１５上を移動できる袋載台１６上面に肥料袋１４を載せて、施肥ホッパ１０上面に搬送させて、この肥料袋１４の袋口を開いて肥料を直下の施肥ホッパ１０内へ移し込むことができる。
【００３２】
又、前記搬送ガイド１５は施肥ホッパ１０の横端部にヒンジ１７を有して、外側へ張出す搬送供給位置Ａと、この施肥ホッパ１０上へ収納する収納位置Ｂとに折畳可能に設ける。
【００３３】
前記搬送ガイド１５は、この内端部をヒンジ１７周りに内、外側へ回動して、収納位置Ｂとして施肥ホッパ１０の直上部に折畳重合させたり、搬送供給位置Ａへ外側へ回動させて張出すことによって、袋載台１６による肥料袋１４の搬送を行わせる。
【００３４】
主として、図４において、前記ガイドレール３６及びサイドレール３８からなる折畳可能の搬送ガイド１５を、施肥ホッパ１０の上端縁部５０上に支持させて設けたもので、前記ガイドレール３６部を取付けて支持させる。サイドレール３８の外側端にはストッパ５１を形成して、袋受台１６の外止めを行う形態で、この袋受台１６は、前記図１、図２の形態と同様に、サイドレール３８部から中央部のガイドレール３６部上にわたって摺動自在の構成としている。又、前記サイドレール３８はヒンジ１７周りに回動させて外方へ張出して搬送供給位置Ａとしたときは、このサイドレール３８の基端部がガイドレール３６の外側端部に一直線状に連結されて、一連のガイドレールを構成することができる。
【００３５】
次に、前記操向ハンドル１、及び運転席２を配置した乗用走行形態の車体３の後部に、土壌面を滑走均平するフロート４と、マット苗を乗せて左右往復移動しながら後下部の苗取口５へ繰出す苗タンク６と、この苗取口５の繰出苗を分離保持して前記フロート４による均平跡の土壌面に挿植する植付装置７等からなる多条植形態の苗植装置８をリフトリンク９を介して昇降可能にして連結すると共に、前記運転席２後側の車体３上部には、前記苗タンク６の横幅方向にわたって幅広く形成した施肥ホッパ１０と、この施肥ホッパ１０から肥料を繰出す繰出装置１１と、この繰出された肥料を搬送案内して各対応するフロート４による均平土壌面へ施用する施肥ホース１２等からなる施肥装置１３を装着する苗植機において、施肥ホッパ１０上に排出口１８をのぞませて、この排出口１８の周りに旋回して供給口１９を前記施肥ホッパ１０の横外方位置へ移動可能の搬送筒２０を設ける。
【００３６】
前記苗植機の苗植作業中や、格納時等は、搬送筒２０を施肥ホッパ１０の直上部に位置させた状態であるが、畦際等において施肥ホッパ１０に肥料を供給するときは、搬送筒２０を排出口１８の周りに旋回して、施肥ホッパ１０上位置から横外方位置へ移動させて、この供給口１９を肥料の供給し易い位置へ移動させる。この供給口１９から肥料を供給して、搬送筒２０を介して排出口１８から施肥ホッパ１０内へ供給される。この肥料の補給が終ると、搬送筒２０を排出口１８周りに回動させて収納位置Ｂにして、苗植、施肥作業を行うことができる。
【００３７】
主として、図５において、施肥装置１３の横端部に上下方向の排出筒１８を設けて、この排出筒１８の下端口５１を施肥ホッパ１２内に開口させ、この排出筒１８の上側に上下方向の旋回軸５３の周りに旋回可能の搬送筒２０を設ける。搬送筒２０は水平状、又は適宜傾斜状に設けて、外側端部に肥料の供給を受ける供給口１９、及び供給ホッパ５２を設けて、肥料袋１４からの肥料供給を受け易く構成している。又、この搬送筒２０には前記旋回軸５３から駆動回転される搬送ラセン５４を設けて、この搬送ラセン５４の回転によって、供給ホッパ５２内の肥料を施肥ホッパ１０内へ搬送供給することができる。
【００３８】
次に、主として図６〜図１０に基づいて、フロート４の施肥部５７に、前記施肥装置１３の繰出装置１１によって繰出される肥料の詰り状態を検出する詰りセンサ５５を設け、この詰りセンサ５５による検出感度の高、低を表示する表示部５６を設けて、土壌中の肥料成分濃度を検出しながら、施肥量をコントローラ５９で自動制御して、適正な肥料量を施用させるものである。前記施肥装置１３の繰出装置１１には、施肥量を調節する調節装置５８を設け、前記フローット４の均平施肥部５７に施肥ホース１２の施肥口をのぞませて設け、この施肥口部に通電抵抗等によって肥料の詰り状態を検出する詰りセンサ５５を設ける。この詰りセンサ５５には、検出感度を調節する感度調節装置６０や、前記調節装置５８の調節目安を表示する表示装置６１、前記感度調節装置を操作すると表示装置に施肥量調節装置５８の調整目安となる数値を表示するように構成する。土壌中の肥料成分が高い場合は、詰りセンサ５５の検出感度が鈍感で少量施肥し、逆に低い場合は敏感で多量施肥するように制御表示する。前記表示部５６には、セットボタン６２を設けて、前記調節装置５８（施肥弁開度調節レバー等からなる）の補正後にセットボタン６２を押すと省エネ表示としての繰出ロールの回転数が表示される。
【符号の説明】
【００３９】
１    操向ハンドル
２    運転席
３    車体
４    フロート
５    苗取口
６    苗タンク
７    植付装置
８    苗植装置
９    リフトリンク
１０  施肥ホッパ
１１  繰出装置
１２  施肥ホース
１３  施肥装置
１４  肥料袋
１５  搬送ガイド
１６  袋受台
１７  ヒンジ
１８  排出口
１９  供給口
２０  搬送筒
【図１】
2012244975.tif 000003
【図２】
2012244975.tif 000004
【図３】
2012244975.tif 000005
【図４】
2012244975.tif 000006
【図５】
2012244975.tif 000007
【図６】
2012244975.tif 000008
【図７】
2012244975.tif 000009
【図８】
2012244975.tif 000010
【図９】
2012244975.tif 000011
【図１０】
2012244975.tif 000012